(57)【要約】【課題】  配管用又は配線用カバーの装着作業を容易にする。【解決手段】  横断面形状が多角形の屈曲自在な筒状カバー体５に、その全長にわたる装入用の切れ目９を形成してある配管用又は配線用カバーにおいて、切れ目９を筒状カバー体５の多角形横断面形状における複数の角部のうちの１つの角部１０に形成し、筒状カバー体５の切れ目９における一方の切縁部９ａと他方の切縁部９ｂとを係合により接合する係合片１１及び被係合片１２を、それら切縁部９ａ，９ｂに設ける。【選択図】        図３
2005121058.tif 000002
【特許請求の範囲】
【請求項１】
横断面形状が多角形の屈曲自在な筒状カバー体に、その全長にわたる装入用の切れ目を形成してある配管用又は配線用カバーであって、
前記切れ目を、前記筒状カバー体の多角形横断面形状における複数の角部のうちの１つの角部に形成し、
前記筒状カバー体の前記切れ目における一方の切縁部と他方の切縁部とを係合により接合する係合片及び被係合片を、それら切縁部に設けてある配管用又は配線用カバー。
【請求項２】
前記筒状カバー体の多角形横断面形状において、前記切れ目を形成する角部を弧状又は直線状の面取り形状にし、この弧状又は直線状の面取り形状における中央部又はその近傍に前記切れ目を形成してある請求項１記載の配管用又は配線用カバー。
【請求項３】
前記筒状カバー体の多角形横断面形状を、配管又は配線の沿壁の側とそれとは反対側のカバー突条側との区別のある形状にするのに対し、その多角形横断面形状において前記沿壁に対向させる壁側１辺部とその一方の隣辺部との間の角部に前記切れ目を形成してある請求項１又は２記載の配管用又は配線用カバー。
【請求項４】
前記係合片及び前記被係合片を、カバー体横断面視において、配管又は配線の沿壁に対向させる壁側１辺部に沿う方向での相互圧接により係合する構造にしてある請求項１〜３のいずれか１項に記載の配管用又は配線用カバー。
【請求項５】
屈曲自在な筒状カバー体に、その全長にわたる装入用の切れ目を形成してある配管用又は配線用カバーであって、
カバー体横断面視において、前記切れ目における一方の切縁が一方の開口縁となる係合用凹部を形成する係合片を、前記筒状カバー体の前記切れ目における一方の切縁部に設け、
前記係合用凹部の開口を拡張する側への前記係合片の弾性変形、及び、それに続く前記係合片の復元側への変形を伴う状態で、前記開口を通じて前記係合用凹部に嵌入させる被係合片を、前記筒状カバー体の前記切れ目における他方の切縁部に設けてある配管用又は配線用カバー。
【請求項６】
カバー体横断面視において、前記被係合片を弾性変形可能なフック状の湾曲形状に形成し、前記係合用凹部への嵌入状態にある前記被係合片の係合用凹部からの抜け出しに対し、前記被係合片の湾曲形状における先端部及び基端部の夫々に対する前記係合用凹部の各開口縁の接当係止により抵抗を付与する構造にしてある請求項５記載の配管用又は配線用カバー。
【請求項７】
前記筒状カバー体の横断面形状を多角形にし、前記切れ目を、前記筒状カバー体の多角形横断面形状における複数の角部のうちの１つの角部に形成してある請求項５又は６記載の配管用又は配線用カバー。
【発明の詳細な説明】
【技術分野】
【０００１】
本発明は、空調機の冷媒配管や機器への給電線など、種々の配管や配線を化粧や保護などのために覆う配管用又は配線用カバーに関し、詳しくは、屈曲自在な筒状カバー体にその全長にわたる装入用の切れ目を形成してある配管用又は配線用カバーに関する。
【背景技術】
【０００２】
従来、この種の配管用又は配線用カバーでは、図１２に示す如く、筒状カバー体５の横断面形状を矩形にするのに対し、その筒状カバー体５の全長にわたらせる装入用の切れ目９を筒状カバー体５の矩形横断面形状における１つの辺部５ａの中央に形成しておき、そして、対象の配管や配線に対する筒状カバー体５の装着の際には、この切れ目９で筒状カバー体５の側部を開いて配管や配線を筒状カバー体５の内部に装入した後、専用の帯状部材５Ｓを筒状カバー体５の切れ目形成箇所に装着することで、この帯状部材５Ｓにより切れ目９における一方の切縁部９ａと他方の切縁部９ｂとを接合して切れ目９を閉塞するようにしたものがある（特許文献１参照）。
【特許文献１】特開２００２−１６８３９２
【発明の開示】
【発明が解決しようとする課題】
【０００３】
しかし、上記従来のカバーでは、装入用切れ目９の閉塞に専用の帯状部材５Ｓを要するため部品点数が多くなり、この為、製作コストが嵩むとともにカバー装着作業が煩雑になる問題があった。
【０００４】
また、カバーを壁に沿う配管や配線に対して装着する場合、筒状カバー体５の多角形横断面形状において切れ目９を形成してある辺部５ａが壁とは反対側に位置する、ないしは、少なくとも壁に対する立辺側となるカバー体姿勢でしか帯状部材５Ｓの装着が難しい為、装着施工後において切れ目９（換言すれば、装着した帯状部材５Ｓ）を目立たなくするには、帯状部材５Ｓの装着による切れ目閉塞の後、内部に配管や配線を装入してある状態の下で筒状カバー体５をその筒軸芯周りに回転させて、切れ目形成の辺部５ａが壁に対する対向側（略言すれば、見た目上の裏側）となるようにしなければならず、この為、カバー装着作業が一層煩雑になる問題もあった。
【０００５】
そしてまた、この種のカバーでは一般に、屈曲自在な筒状カバー体５を柔軟な合成樹脂材により形成する為、上記の如き切れ目隠しのための回転操作の際に、壁との擦りにより筒状カバー体５の外面を傷つけ易く、この擦り傷のために化粧上の体裁を悪くするといった問題もあった。
【０００６】
これらの実情に鑑み、本発明の主たる課題は、従来の配管用又は配線用カバーにおける上記の如き問題を効果的に解消する点にある。
【課題を解決するための手段】
【０００７】
〔１〕本発明の第１特徴構成は、横断面形状が多角形の屈曲自在な筒状カバー体に、その全長にわたる装入用の切れ目を形成する配管用又は配線用カバーにおいて、
前記切れ目を、前記筒状カバー体の多角形横断面形状における複数の角部のうちの１つの角部に形成し、
前記筒状カバー体の前記切れ目における一方の切縁部と他方の切縁部とを係合により接合する係合片及び被係合片を、それら切縁部に設けてある点にある。
【０００８】
つまり、この第１特徴構成によれば、筒状カバー体における装入用切れ目の各切縁部に設けた係合片と被係合片との係合により、それら切縁部どうしを接合して切れ目を閉塞するから、先述した従来のカバーにおける帯状部材の如き切れ目閉塞のための専用別部材を不要にして、部品点数を削減することができ、これにより、製作コストを安価にし得るとともに、配管や配線に対するカバー装着作業を単純化して容易にすることができる。
【０００９】
また、切れ目を筒状カバー体の多角形横断面形状における１つの角部に形成してあるから、カバーを壁に沿う配管や配線に対して装着する場合、筒状カバー体の多角形横断面形状において、配管や配線の沿壁に対向させる壁側１辺部とその一方の隣辺部との間の角部が切れ目形成の角部となるような適合装着姿勢（本発明に即した装着姿勢）を採れば、先述した従来のカバーで必要であった切れ目閉塞後の切れ目隠し（帯状部材隠し）のためのカバー体回転操作も不要にすることができる。
【００１０】
すなわち、壁側１辺部とその一方の隣辺部との間の角部が切れ目形成の角部となる上記の適合装着姿勢では、切れ目が筒状カバー体の側方に臨む状態になることから、その切れ目を目視確認しながらの切れ目閉塞操作（係合片と被係合片との係合による切縁部どうしの接合）が可能であり、また、上記の適合装着姿勢では切れ目が筒状カバー体の側方に臨むものの沿壁の側に十分に寄った状態になることから、切れ目閉塞の後、その装着姿勢のままでも切れ目は目立ち難く、このことから、従来のカバーの如き切れ目閉塞の後における切れ目隠しのためのカバー体回転操作を不要にすることができる。
【００１１】
そして、このように切れ目閉塞の後における切れ目隠しのためのカバー体回転操作を不要にし得ることで、カバー装着作業を一層容易にすることができ、また、回転の際に壁との擦りにより筒状カバー体の外面を傷つけてしまうといったことも回避することができる。
【００１２】
しかも、前述の如く、この種のカバーでは屈曲自在な筒状カバー体を柔軟な合成樹脂材により形成することが多いが、多角形横断面形状の筒状カバー体においては一般に角部の方が辺部の中央箇所よりも高強度になることから、角部に切れ目を形成する第１特徴構成によれば、辺部の中央に切れ目を形成する従来のカバーに比べ、筒状カバー体の屈曲やカバー体形成材の柔軟変形に対する切れ目閉塞保持の耐性を極力高く確保する面でも有利になる。
【００１３】
なお、第１特徴構成の実施において、多角形とする筒状カバー体の横断面形状は３角形以上であれば何角形であってもよいが、一般的には４角形（矩形）〜８角形の範囲内が適当である。
【００１４】
また、筒状カバー体は、その屈曲を蛇腹構造などの採用をもって自在にしたもの、あるいは、形成材の柔軟性のみにより自在にしたもののいずれであってもよい。
【００１５】
第１特徴構成の実施においては、筒状カバー体の多角形横断面形状において１つの角部に切れ目を形成するのに対しそれとは別箇所にヒンジ構造を設け、これにより、配管又は配線の装入時における切れ目の開きを容易にするようにしてもよく、また、カバー体形成材の柔軟性だけで切れ目を十分に開き得る場合には、ヒンジ構造を設けず切れ目だけを形成した構造にしてもよい。
【００１６】
さらに、第１特徴構成の実施においては、切れ目を閉塞した状態において係合片及び被係合片が筒状カバー体の内部側に位置する構造にしておくのがよい。
【００１７】
〔２〕本発明の第２特徴構成は、第１特徴構成の実施において、
前記筒状カバー体の多角形横断面形状において、前記切れ目を形成する角部を弧状又は直線状の面取り形状にし、この弧状又は直線状の面取り形状における中央部又はその近傍に前記切れ目を形成してある点にある。
【００１８】
つまり、この第２特徴構成によれば、配管や配線の沿壁に対し対向させる壁側１辺部とその一方の隣辺部との間の角部が切れ目形成の角部となる前記の適合装着姿勢を採ったとき、筒状カバー体の多角形横断面形状において切れ目形成の角部における面取り形状部分が、壁側１辺部よりも沿壁から離れる状態となることで、その面取り形状における中央部又はその近傍に形成した切れ目が筒状カバー体の側方へ一層開放された状態で臨むようになり、これにより、係合片と被係合片との係合による切れ目閉塞操作を一層容易に行うことができる。
【００１９】
また、沿壁に対する正対視では、上記面取り形状の中央部ないしその近傍に形成した切れ目が筒状カバー体の裏側（沿壁の側）に位置することになり、これにより、切れ目を一層目立ち難い状態にすることができる。
【００２０】
すなわち、これらの点で第２特徴構成によれば、切れ目閉塞の後における切れ目隠しのためのカバー体回転操作を不要にするという所期目的を一層効果的かつ高度に達成することができ、特に、筒状カバー体を配管や配線の沿壁に対し密着させるカバー装着形態を採る場合に有効なものとなる。
【００２１】
〔３〕本発明の第３特徴構成は、第１又は第２特徴構成の実施において、
前記筒状カバー体の多角形横断面形状を、配管又は配線の沿壁の側とそれとは反対側のカバー突条側との区別のある形状にするのに対し、その多角形横断面形状において前記沿壁に対向させる壁側１辺部とその一方の隣辺部との間の角部に前記切れ目を形成してある点にある。
【００２２】
つまり、この第３特徴構成によれば、筒状カバー体の多角形断面形状における上記の如き沿壁側とカバー突条側との形状区別に従って作業者がカバー装着作業を進めることに伴い、沿壁に対し対向させる壁側１辺部とその一方の隣辺部との間の角部が切れ目形成の角部となる前記の適合装着姿勢が自ずと採られるようにすることができ、これにより、前記した第１特徴構成や第２特徴構成による効果を一層確実に得ることができる。
【００２３】
〔４〕本発明の第４特徴構成は、第１〜第３特徴構成のいずれかの実施において、
前記係合片及び前記被係合片を、カバー体横断面視において配管又は配線の沿壁に対向させる壁側１辺部に沿う方向での相互圧接により係合する構造にしてある点にある。
【００２４】
つまり、この第４特徴構成によれば、筒状カバー体の両側方からの押圧操作により係合片及び被係合片を相互圧接して係合させることができ、この点で、切れ目における両切縁部どうしを接合する切れ目閉塞操作を容易に行うことができ、特に、この両側方からの押圧による切れ目閉塞操作において、配管や配線の沿壁に対し対向させる上記壁側１辺部を中支えとする状態で、この壁側１辺部を介し押圧力を係合片及び被係合片に対し確実に伝達し得ることにより、切り目閉塞操作を一層効果的に容易化することができる。
【００２５】
そしてまた、筒状カバー体を配管や配線の沿壁に対し密着させるカバー装着形態を採る場合には、その沿壁をもって壁側１辺部を支えた状態で上記の押圧操作を行えることにより、壁側１辺部を介しての押圧力伝達を一層確実にすることができ、その分、切り目閉塞操作をさらに効果的に容易化することができる。
【００２６】
〔５〕本発明の第５特徴構成は、屈曲自在な筒状カバー体に、その全長にわたる装入用の切れ目を形成してある配管用又は配線用カバーにおいて、
カバー体横断面視において、前記切れ目における一方の切縁が一方の開口縁となる係合用凹部を形成する係合片を、前記筒状カバー体の前記切れ目における一方の切縁部に設け、
前記係合用凹部の開口を拡張する側への前記係合片の弾性変形、及び、それに続く前記係合片の復元側への変形を伴う状態で、前記開口を通じて前記係合用凹部に嵌入させる被係合片を、前記筒状カバー体の前記切れ目における他方の切縁部に設けてある点にある。
【００２７】
つまり、この第５特徴構成によれば、筒状カバー体の装入用切れ目における一方の切縁部に設けた係合片と他方の切縁部に設けた被係合片との係合（すなわち、係合用凹部に対する被係合片の嵌入）により、両切縁部どうしを接合して切れ目を閉塞するから、先述した従来のカバーにおける帯状部材の如き切れ目閉塞のための専用別部材を不要にして、部品点数を削減することができ、これにより、製作コストを安価にし得るとともに、配管や配線に対するカバー装着作業を単純化して容易にすることができる。
【００２８】
なお、第５特徴構成の実施において、筒状カバー体の横断面形状は多角形、円形，楕円などどのようなものであってもよく、また、第１特徴構成の場合と同様、筒状カバー体は、その屈曲を蛇腹構造などの採用をもって自在にしたもの、あるいは、形成材の柔軟性のみにより自在にしたもののいずれであってもよい。
【００２９】
第５特徴構成の実施においては、これも第１特徴構成の場合と同様、筒状カバー体に切れ目を形成するのに対しそれとは別箇所にヒンジ構造を設け、これにより、配管又は配線の装入時における切れ目の開きを容易にするようにしてもよく、また、カバー体形成材の柔軟性だけで切れ目を十分に開き得る場合には、ヒンジ構造を設けず切れ目だけを形成した構造にしてもよい。
【００３０】
また、第５特徴構成の実施においては、切れ目を閉塞した状態において係合片及び被係合片が筒状カバー体の内部側に位置する構造にしておくのがよい。
【００３１】
〔６〕本発明の第６特徴構成は、第５特徴構成の実施において、
カバー体横断面視において、前記被係合片を弾性変形可能なフック状の湾曲形状に形成し、前記係合用凹部への嵌入状態にある前記被係合片の係合用凹部からの抜け出しに対し、前記被係合片の湾曲形状における先端部及び基端部の夫々に対する前記係合用凹部の各開口縁の接当係止により抵抗を付与する構造にしてある点にある。
【００３２】
つまり、上記係合片は基本的に、係合用凹部への被係合片の嵌入の際の開口拡張側への弾性変形に続く復元側への変形により、係合用凹部の開口を被係合片の通過後に細めることで、嵌入状態にある被係合片の係合用凹部からの抜け出しに対し抵抗を付与するが、この抵抗について、第５特徴構成では、上記の如く、被係合片を弾性変形可能なフック状の湾曲形状にして、被係合片の係合用凹部からの抜け出しに対し、被係合片の湾曲形状における先端部及び基端部の夫々に対する係合用凹部の各開口縁の接当係止により抵抗を付与するから、抜け出し力が一定の大きさに達するまでは、被係合片の湾曲形状基端部をそれに対する凹部開口縁の接当係止により支えた状態での被係合片の湾曲形状先端部に対する凹部開口縁の接当係止をもって、抜け出し力に応じフック状湾曲形状の被係合片を弾性変形させ、この弾性変形により、被係合片の係合用凹部からの抜け出しに対し粘りのある状態（換言すれば、弾力性のある状態）で抵抗を付与することができる。
【００３３】
そして、このように被係合片の係合用凹部からの抜け出しに対し粘りのある状態で抵抗を付与し得ることにより、筒状カバー体の屈曲やカバー体形成材の柔軟変形に対する切れ目閉塞保持の耐性を高めることができる。
【００３４】
〔７〕本発明の第７特徴構成は、第５又は第６特徴構成の実施において、
前記筒状カバー体の横断面形状を多角形にし、前記切れ目を、前記筒状カバー体の多角形横断面形状における複数の角部のうちの１つの角部に形成してある点にある。
【００３５】
つまり、この第７特徴構成によれば、前記の第１特徴構成と同様、カバーを壁に沿う配管や配線に対して装着する場合、筒状カバー体の多角形横断面形状において、配管や配線の沿壁に対向させる壁側１辺部とその一方の隣辺部との間の角部が切れ目形成の角部となるような適合装着姿勢を採ることにより、先述した従来のカバーの如き切れ目閉塞後の切れ目隠し（帯状部材隠し）のためのカバー体回転操作も不要にすることができる。
【００３６】
すなわち、壁側１辺部とその一方の隣辺部との間の角部が切れ目形成の角部となる上記の適合装着姿勢では、切れ目が筒状カバー体の側方に臨む状態になることから、その切れ目を目視確認しながらの切れ目閉塞操作が可能であり、また、上記の適合装着姿勢では切れ目が筒状カバー体の側方に臨むものの沿壁の側に十分に寄った状態になることから、切れ目閉塞の後、その装着姿勢のままでも切れ目は目立ち難く、このことから、従来のカバーの如き切れ目閉塞の後における切れ目隠しのためのカバー体回転操作を不要にすることができる。
【００３７】
そして、このように切れ目閉塞の後における切れ目隠しのためのカバー体回転操作を不要にし得ることで、カバー装着作業を一層容易にすることができ、また、回転の際に壁との擦りにより筒状カバー体の外面を傷つけてしまうといったことも回避することができる。
【００３８】
しかも、この種のカバーでは屈曲自在な筒状カバー体を柔軟な合成樹脂材により形成することが多いが、多角形横断面形状の筒状カバー体においては一般に角部の方が辺部の中央箇所よりも高強度になることから、角部に切れ目を形成する第７特徴構成によれば、辺部の中央に切れ目を形成する従来のカバーに比べ、筒状カバー体の屈曲やカバー体形成材の柔軟変形に対する切れ目閉塞保持の耐性を極力高く確保する上で一層有利なものになる。
【００３９】
なお、第７特徴構成の実施において、多角形とする筒状カバー体の横断面形状は３角形以上であれば何角形であってもよいが、一般的には４角形（矩形）〜８角形の範囲内が適当である。
【発明を実施するための最良の形態】
【００４０】
図１はセパレート型空調機の屋外配管状態を示し、１は建屋の外壁、２は空調機の室外機、３は配管カバーであり、この配管カバー３の内部に空調機の室外機２と室内機とにわたらせる冷媒配管４ａ，４ｂ、及び、室内機からのドレン配管４ｃを収容してある。
【００４１】
配管カバー３は、直管型カバー３Ａ、エルボ型カバー３Ｂ、自在継手型カバー３Ｃ、端末カバー３Ｄ、壁貫通部カバー３Ｅなどからなり、収納する配管４ａ〜４ｃの配管経路に応じ、これら複数種のカバー３Ａ〜３Ｅを使い分けて、また、使用する直管型カバー３Ａを適当寸法に切断したり継手を用い継ぎ足すなどして、冷媒配管４ａ，４ｂ及びドレン配管４ｃの屋外部分をそのほぼ全長にわたって配管カバー３により被覆してある。
【００４２】
自在継手型カバー３Ｃは、同図１及び図２に示す如く、突状障害物を避けるための屈曲配管部分（図１，図２（イ））や既製のエルボ型カバー３Ｂでは対応できない大きな曲率の曲げ配管部分（図２（ロ））の被覆に用いるものであり、直管型カバー３Ａやエルボ型カバー３Ｂは硬質合成樹脂製の剛性を備える二つ割り構造の筒状カバー体からなるのに対し、自在継手型カバー３Ｃは軟質合成樹脂製の柔軟性を備える筒状カバー体５からなり、その形成材の柔軟性と筒状カバー体５に施した蛇腹構造６とにより任意の方向について屈曲自在にしてある。なお、ｐは自在継手型カバー３Ｃを壁に対して固定する固定具である。
【００４３】
また、自在継手型カバー３Ｃには、使用長さが規定された図３及び図４に示す如き定尺式のものと、適当長さに切断して使用する図５及び図６に示す如き切断式のものとの二種があり、定尺式の自在継手型カバー３Ｃｘは、それを構成する筒状カバー体５の両端部を除く部分に蛇腹構造６を形成し、蛇腹構造を不存とした両端部は直管型カバー３Ａやエルボ型カバー３Ｂなどの接続対象カバーの端部に対する差込部７にしてある。
【００４４】
一方、切断式の自在継手型カバー３Ｃｙは、それを構成する筒状カバー体５の全長にわたって蛇腹構造６を形成してあり、図７（イ）に示す如く適当長さに切断した状態で専用の接続具８ａを用いて直管型カバー３Ａやエルボ型カバー３Ｂなどの接続対象カバーに接続する。また、１本の切断式自在継手型カバー３Ｃｙで長さが不足の場合は、図７（ロ）に示す如く専用の連結具８ｂを用いて切断式自在継手型カバー３Ｃｙどうしを接続する。
【００４５】
なお、直管型カバー３Ａやエルボ型カバー３Ｂなどと同様、自在継手型カバー３Ｃは基本的に矩形横断面形状の筒状カバー体５からなるが、定尺式及び切断式の夫々について、図８（イ）〜（ニ）、図９（イ）〜（ニ）に示す如く、口径や矩形アスペクト比の異なる複数仕様のもの３Ｃａ〜３Ｃｄがある。
【００４６】
定尺式及び切断式、並びに、口径・矩形アスペクト比の異なる各仕様の自在継手型カバー３Ｃについて、それを構成する矩形横断面形状の筒状カバー体５には、その全長にわたる装入用の切れ目９を筒状カバー体５の矩形横断面形状における４つの角部のうちの一つの角部１０に形成してあり、また、図１０に示す如く、筒状カバー体５における切れ目９の各切縁部９ａ，９ｂには、係合によりそれら切縁部９ａ，９ｂどうしを接合する係合片１１及び被係合片１２を夫々、筒状カバー５の全長にわたらせて設けてある。
【００４７】
つまり、自在継手型カバー３Ｃを被覆対象の配管４ａ〜４ｃに装着するにあたっては、上記切れ目９において筒状カバー体５の側部を開いた状態で、その開き部を通じて配管４ａ〜４ｃを筒状カバー５の内部へ装入し、その装入後、係合片１１と被係合片１２を係合させて両切縁部９ａ，９ｂどうしを接合することで切れ目９を閉塞する。
【００４８】
また、この装着作業の際、図４（ロ）に示す如く、筒状カバー５の矩形横断面形状において、配管４ａ〜４ｃの沿壁１（図１の例では建屋の外壁）に対向させる壁側１辺部５ａとそれに対する一方の隣辺部５ｂとの間の角部が切り目形成の角部１０となるようなカバー装着姿勢（以下、適合装着姿勢と称す）を採るようにする。
【００４９】
すなわち、この適合装着姿勢を採れば、同図４（ロ）に示す如く、沿壁１に対し切れ目９が筒状カバー体５の側方に臨む状態になることから、その切れ目９を目視確認しながらの切れ目閉塞操作が可能であり、また、この適合装着姿勢では切れ目９が筒状カバー体５の側方に臨むものの沿壁１の側に十分に寄った状態になることから、切れ目閉塞の後、その装着姿勢のままでも切れ目９は目立ち難く、このことから、切れ目閉塞の後における切れ目隠しのためのカバー体回転操作が不要になる。
【００５０】
また、定尺式の自在継手型カバー３Ｃｘについては、筒状カバー体５の両端差込部７における矩形横断面形状の１辺部に、接続対象の直管型カバー３Ａやエルボ型カバー３Ｂの端部に対する差込部７の差し込みを案内するリム部１３を形成してあり、このリム部１３の形成により差込部７における矩形横断面形状が、接続対象カバー３Ａ，３Ｂに対する差し込み上で、沿壁１の側とそれとは反対側のカバー突条側との区別のある形状（本例ではリム部１３形成の側が沿壁１の側となる形状）になることに対し、このリム部１３を形成した１辺部５ａとそれに対する隣辺部５ｂとの間の角部１０に切れ目９を形成し、これにより、接続対象カバー３Ａ，３Ｂの端部に対する差し込み上で作業者が筒状カバー体５の装着姿勢を選択することに伴い、自ずと前記の適合装着姿勢（すなわち、沿壁１に対向させる壁側１辺部５ａとそれに対する一方の隣辺部５ｂとの間の角部が切り目形成の角部１０となるようなカバー装着姿勢）が採られるようにしてある。
【００５１】
定尺式及び切断式、並びに、各仕様の自在継手型カバー３Ｃを構成する筒状カバー体５は、その矩形横断面形状における各角部を弧状の面取り形状１４にしてあり、これに対し、装入用切れ目９を１つの角部１０に形成するにあたっては、その１つの角部１０における弧状の面取り形状１４の中央部に切れ目９を形成してある。
【００５２】
つまり、このように弧状面取り形状１４の中央部に切れ目９を形成すれば、前記適合装着姿勢を採ったとき、筒状カバー体５の矩形横断面形状において切れ目形成の角部１０における面取り形状部分１４が、壁側１辺部５ａよりも沿壁１から離れる状態となることで、切れ目９が筒状カバー体５の側方へ一層開放された状態で臨むようになり、これにより、係合片１１と被係合片１２との係合による切れ目閉塞操作を一層容易に行うことができる。
【００５３】
また、沿壁１に対する正対視では、面取り形状１４の中央部に形成した切れ目９が筒状カバー体５の裏側（沿壁１の側）に位置することになり、これにより、切れ目９を一層目立ち難い状態にすることができる。
【００５４】
図１０に示す如く、筒状カバー体５における切れ目９の一方の切縁部９ａ（本例では壁側１辺部５ａの側の切縁部）に設ける係合片１１は、切れ目９における一方の切縁ａが一方の開口縁となる係合用凹部１５を形成するものにしてあり、筒状カバー体５における他方の切縁部９ｂに設けた被係合片１２との係合による切縁部９ａ，９ｂどうしの接合については、係合用凹部１５の開口１５ａを拡張する側への係合片１１の弾性変形、及び、それに続く係合片１１の復帰側への変形を伴わせる状態で、開口１５ａを通じて被係合片１２を係合用凹部１５に嵌入させることで、切縁部９ａ，９ｂどうしを接合するようにしてある。
【００５５】
また、これら係合片１１と被係合片１２との係合による切れ目閉塞においては、基本的に、係合用凹部１５への被係合片１２の嵌入の際の開口拡張側への弾性変形に続く係合片１１の復元側への変形により、係合用凹部１５の開口１５ａを被係合片１２の通過後に細めることで、嵌入状態にある被係合片１２の係合用凹部１５からの抜け出しに対し抵抗を付与するが、カバー体横断面視において、被係合片１２はフック状の湾曲形状に形成してあり、そして、係合用凹部１５への嵌入状態にある被係合片１２の係合用凹部１５からの抜け出しに対しては、被係合片１２の湾曲形状における先端部ｘ及び基端部ｙの夫々に対する係合用凹部１５の各開口縁ａ，ｂの接当係止により抵抗を付与する構造にしてある。
【００５６】
すなわち、この抵抗付与構造を採ることで、抜け出し力が一定の大きさに達するまでは、被係合片１２の湾曲形状基端部ｙをそれに対する凹部開口縁ｂの接当係止により支えた状態での被係合片１２の湾曲形状先端部ｘに対する凹部開口縁ａの接当係止をもって、抜け出し力に応じフック状湾曲形状の被係合片１２を図１０（ハ）に示す如く弾性変形させ、この弾性変形により、被係合片１２の係合用凹部１５からの抜け出しに対し粘りのある状態で抵抗を付与し得るようにしてある。
【００５７】
また、壁側１辺部５ａの側の切縁部９ａに設ける係合片１１は、それにより形成する係合用凹部１５が壁側１辺部５ａにほぼ沿う方向で外方側に向く構造にしてあり、これにより、カバー体横断面視において筒状カバー体５に対する両側方からの押圧操作により、壁側１辺部５ａを中支えとする状態で係合片１１及び被係合片１２を壁側１辺部５ａに沿う方向で相互圧接させ、この相互圧接により係合片１１及び被係合片１２を係合（被係合片１２を係合用凹部１５に嵌入）させて切れ目９を閉塞するようにしてある。
【００５８】
係合片１１及び被係合片１２は、それらの係合により両切縁部９ａ，９ｂを接合して切れ目９を閉塞した状態において筒状カバー体５の内部に隠蔽されるようにしてあり、また、その切れ目閉塞状態において筒状カバー体５の外面視で両切縁部９ａ，９ｂは筒状カバー体５の他部の外周面と面一状の突合せ状態になるようにしてあり、これにより、切れ目閉塞を完了して自在継手型カバー３Ｃの装着を完了した状態において、切れ目９の形成箇所が一層目立ち難くなるようにしてある。
【００５９】
〔別実施形態〕
次に本発明の別実施形態を列記する。
【００６０】
筒状カバー体５の材質は、必ずしも軟質の合成樹脂に限られるものではなく、蛇腹構造などをもって筒状カバー体５の屈曲性を得るのであれば、硬質の合成樹脂や金属を用いてもよい。
【００６１】
切れ目９における両切縁部９ａ，９ｂどうしを接合して切れ目９を閉塞する係合片１１及び被係合片１２の具体的係合構造は、前述の実施形態で示した構造に限られるものではなく、例えば、図１１に示す如く、係止片１１が形成する係合用凹部１５に対し、円形断面形状や矢頭状の被係合片１２を嵌入させる構造など、種々の構造を採用できる。
【００６２】
前述の実施形態では、筒状カバー体５の多角形横断面形状において各角部に弧状の面取り形状１４を形成した例を示したが、弧状の面取り形状に代え直線状の面取り形状を採用してもよく、また場合によっては、筒状カバー体５の多角形横断面形状を面取り形状の無い形状や、一部の角部についてのみ面取り形状を施した形状にしてもよい。
【００６３】
前述の実施形態では、壁１に沿う配管４ａ〜４ｃに対して筒状カバー体５を装着する例を示したが、本発明は配線を覆うカバー、あるいは、配線と配管との両方を覆うカバーにも適用でき、また、使用形態としては、壁に沿う配管や配線の被覆に限らず、空中を延びる配管や配線の被覆、あるいは、床面に沿って延びる配管や配線の被覆にも適用できる。
【産業上の利用可能性】
【００６４】
家屋、ビル、工場などにおける各種の配管や配線の被覆に利用でき、特に壁に沿う配管や配線の被覆に好適である。
【図面の簡単な説明】
【００６５】
【図１】屋外配管に対するカバー使用状態を示す図
【図２】カバー使用形態を示す図
【図３】定尺式カバーを示す斜視図
【図４】定尺式カバーを示す側面図及び横断面図
【図５】切断式カバーを示す斜視図
【図６】切断式カバーを示す側面図及び横断面図
【図７】切断式カバーの接続・連結形態を示す側面図
【図８】各種仕様の定尺式カバーを示す横断面図
【図９】各種仕様の切断式カバーを示す横断面図
【図１０】係合片及び被係合片を示す拡大横断面図
【図１１】別実施形態を示す拡大横断面図
【図１２】従来例を示す斜視図
【符号の説明】
【００６６】
１          沿壁
４ａ〜４ｃ  配管
５          筒状カバー体
５ａ        壁側１辺部
５ｂ        隣辺部
９          切れ目
９ａ，９ｂ  切縁部
１０        角部
１１        係合片
１２        被係合片
１４        面取り形状
１５        係合用凹部
１５ａ      開口
ａ，ｂ      開口縁
ｘ          湾曲形状先端部
ｙ          湾曲形状基端部
【図１】
2005121058.tif 000003
【図２】
2005121058.tif 000004
【図３】
2005121058.tif 000005
【図４】
2005121058.tif 000006
【図５】
2005121058.tif 000007
【図６】
2005121058.tif 000008
【図７】
2005121058.tif 000009
【図８】
2005121058.tif 000010
【図９】
2005121058.tif 000011
【図１０】
2005121058.tif 000012
【図１１】
2005121058.tif 000013
【図１２】
2005121058.tif 000014